(57)【要約】  本開示は、通信の技術分野に関し、モニタリング結果の決定方法及び端末を提供する。該端末に適用されるモニタリング結果の決定方法は、少なくとも１つの基準状態のプロセスが実行されている場合、基準状態のモニタリング設定パラメータに基づいて、目標基準状態のプロセスが予め設定された条件を満たすか否かを判定することと、前記目標基準状態のプロセスが予め設定された条件を満たす場合、前記目標基準状態に対応するモニタリング結果を決定することとを含み、前記基準状態は、無線リンクモニタリングＲＬＭ及び／又はビーム障害検出ＢＦＤを含む。【選択図】図１
2021530178.tif 000002
【特許請求の範囲】
【請求項１】
端末に適用されるモニタリング結果の決定方法であって、
少なくとも１つの基準状態のプロセスが実行されている場合、基準状態のモニタリング設定パラメータに基づいて、目標基準状態のプロセスが予め設定された条件を満たすか否かを判定することと、
前記目標基準状態のプロセスが予め設定された条件を満たす場合、前記目標基準状態に対応するモニタリング結果を決定することとを含み、
前記基準状態が、無線リンクモニタリングＲＬＭ及び／又はビーム障害検出ＢＦＤを含む、モニタリング結果の決定方法。
【請求項２】
前記モニタリング設定パラメータは、
端末に対して設定された１組の基準状態設定パラメータと、
端末の少なくとも１つの基準信号ＲＳに対して設定された少なくとも１組の基準状態設定パラメータと、
端末の少なくとも１つの基準信号ＲＳセットに対して設定された少なくとも１組の基準状態設定パラメータと、
端末の少なくとも１つの帯域幅部分ＢＷＰに対して設定された少なくとも１組の基準状態設定パラメータと、
端末の少なくとも１つのセルに対して設定された少なくとも１組の基準状態設定パラメータと、
端末の少なくとも１つのキャリアに対して設定された少なくとも１組の基準状態設定パラメータと、
端末の少なくとも１つの帯域幅又は少なくとも１つの帯域幅の組み合わせに対して設定された少なくとも１組の基準状態設定パラメータと、のうちの少なくとも１つを含む、請求項１に記載のモニタリング結果の決定方法。
【請求項３】
少なくとも１つの帯域幅部分ＢＷＰは、少なくとも１つのアクティブ化された帯域幅部分ＢＷＰ及び／又は少なくとも１つの設定された帯域幅部分ＢＷＰを含み、前記少なくとも１つのセルは、少なくとも１つのサービングセル及び／又は少なくとも１つの設定されたセルを含む、請求項２に記載のモニタリング結果の決定方法。
【請求項４】
１組の基準状態設定パラメータは、
前記基準状態に対するプリセットカウンタと、前記基準状態に対するタイマーのタイマ長というパラメータのうちの少なくとも１つを含み、
前記基準状態が無線リンクモニタリングＲＬＭを含む場合、前記プリセットカウンタは、同期外れカウンタと同期カウンタを含み、前記基準状態がビーム障害検出ＢＦＤを含む場合、前記プリセットカウンタは、ビーム障害インスタンスカウンタを含む、請求項２に記載のモニタリング結果の決定方法。
【請求項５】
前記基準状態が無線リンクモニタリングＲＬＭを含む場合、前記予め設定された条件は、前記タイマーがタイムアウトすることを含み、
前記タイマーは最下層からの第１の予め設定された数の連続的な同期外れ指示を受信するときに起動し、かつ前記タイマーはタイムアウトする前に第２の予め設定された数の連続的な同期指示を受信するときに動作を停止し、
前記基準状態がビーム障害検出ＢＦＤを含む場合、前記予め設定された条件は、前記ビーム障害インスタンスカウンタが第３の予め設定された数に達することを含み、
前記ビーム障害インスタンスカウンタが最下層により指示されたビーム障害インスタンスを受信すると、前記ビーム障害インスタンスカウンタのカウント値に１を加え、かつ前記タイマーを起動し、前記タイマーがタイムアウトすると、前記ビーム障害インスタンスカウンタのカウント値をリセットする、請求項４に記載のモニタリング結果の決定方法。
【請求項６】
前記目標基準状態に対応するモニタリング結果を決定することは、
端末の上位層を指示することと、
無線リンク失敗ＲＬＦと宣言するか又はビーム障害回復ＢＦＲを決定することと、
端末の上層の少なくとも１つの目標リソースでの基準状態が予め設定された条件を満たすことを決定することと、
少なくとも１つの目標リソースでの基準状態が予め設定された条件を満たす場合、対応する前記少なくとも１つの目標リソースで無線リンク失敗ＲＬＦ又はビーム障害回復ＢＦＲをトリガすることと、
少なくとも１つの目標リソースでの基準状態が予め設定された条件を満たす場合、対応する前記少なくとも１つの目標リソースで無線リソース制御ＲＲＣの再確立を開始することと、
報告情報をネットワーク装置に報告することと、のうちの少なくとも１つを含み、
目標リソースは、基準信号ＲＳ、基準信号ＲＳセット、帯域幅部分ＢＷＰ、セル、キャリア、帯域幅又は帯域幅の組み合わせを含む、請求項１に記載のモニタリング結果の決定方法。
【請求項７】
前記報告情報は、
前記目標基準状態のプロセスが予め設定された条件を満たすことと、
前記目標基準状態のプロセスが目標リソースで無線リンク失敗ＲＬＦ又はビーム障害回復ＢＦＲをトリガしたことと、
前記目標基準状態のプロセスが目標リソースでＲＲＣの再確立を開始したことと、のうちの少なくとも１つを含む、請求項６に記載のモニタリング結果の決定方法。
【請求項８】
前記目標基準状態のプロセスは、前記少なくとも１つの基準状態のプロセスのうちの少なくとも１つを含む、請求項１に記載のモニタリング結果の決定方法。
【請求項９】
前記目標基準状態のプロセスは、
初期帯域幅部分ＢＷＰで実行される基準状態と、
第１のアクティブ化された帯域幅部分ＢＷＰで実行される基準状態と、
サービングセルで実行される基準状態と、
プライマリセルで実行される基準状態と、
セル定義同期信号ブロックが存在する帯域幅部分ＢＷＰ、セル又は基準信号ＲＳで実行される基準状態と、
予め設定された指示情報が存在するセル、帯域幅部分ＢＷＰ又は基準信号ＲＳで実行される基準状態と、のうちの少なくとも１つを含み、
前記予め設定された指示情報が、サービングセル、サービングセルの帯域幅部分ＢＷＰ又はサービングセルの基準信号ＲＳを指示する、請求項１に記載のモニタリング結果の決定方法。
【請求項１０】
少なくとも１つの基準状態のプロセスが実行されている場合、基準状態のモニタリング設定パラメータに基づいて、目標基準状態のプロセスが予め設定された条件を満たすか否かを判断するための判断モジュールと、
前記目標基準状態のプロセスが予め設定された条件を満たす場合、前記目標基準状態に対応するモニタリング結果を決定するための決定モジュールと、を含み、
前記基準状態が、無線リンクモニタリングＲＬＭ及び／又はビーム障害検出ＢＦＤを含む、端末。
【請求項１１】
前記モニタリング設定パラメータは、
端末に対して設定された１組の基準状態設定パラメータと、
端末の少なくとも１つの基準信号ＲＳに対して設定された少なくとも１組の基準状態設定パラメータと、
端末の少なくとも１つの基準信号ＲＳセットに対して設定された少なくとも１組の基準状態設定パラメータと、
端末の少なくとも１つの帯域幅部分ＢＷＰに対して設定された少なくとも１組の基準状態設定パラメータと、
端末の少なくとも１つのセルに対して設定された少なくとも１組の基準状態設定パラメータと、
端末の少なくとも１つのキャリアに対して設定された少なくとも１組の基準状態設定パラメータと、
端末の少なくとも１つの帯域幅又は少なくとも１つの帯域幅の組み合わせに対して設定された少なくとも１組の基準状態設定パラメータと、のうちの少なくとも１つを含む、請求項１０に記載の端末。
【請求項１２】
少なくとも１つの帯域幅部分ＢＷＰは、少なくとも１つのアクティブ化された帯域幅部分ＢＷＰ及び／又は少なくとも１つの設定された帯域幅部分ＢＷＰを含み、前記少なくとも１つのセルは、少なくとも１つのサービングセル及び／又は少なくとも１つの設定されたセルを含む、請求項１１に記載の端末。
【請求項１３】
１組の基準状態設定パラメータは、
前記基準状態に対するプリセットカウンタと、前記基準状態に対するタイマーのタイマ長というパラメータのうちの少なくとも１つを含み、
前記基準状態が無線リンクモニタリングＲＬＭを含む場合、前記プリセットカウンタは、同期外れカウンタと同期カウンタを含み、前記基準状態がビーム障害検出ＢＦＤを含む場合、前記プリセットカウンタは、ビーム障害インスタンスカウンタを含む、請求項１１に記載の端末。
【請求項１４】
前記基準状態が無線リンクモニタリングＲＬＭを含む場合、前記予め設定された条件は、前記タイマーがタイムアウトすることを含み、
前記タイマーは最下層からの第１の予め設定された数の連続的な同期外れ指示を受信するときに起動し、かつ前記タイマーはタイムアウトする前に第２の予め設定された数の連続的な同期指示を受信するときに動作を停止し、
前記基準状態がビーム障害検出ＢＦＤを含む場合、前記予め設定された条件は、前記ビーム障害インスタンスカウンタが第３の予め設定された数に達することを含み、
前記ビーム障害インスタンスカウンタが最下層により指示されたビーム障害インスタンスを受信すると、前記ビーム障害インスタンスカウンタのカウント値に１を加え、かつ前記タイマーを起動し、前記タイマーがタイムアウトすると、前記ビーム障害インスタンスカウンタのカウント値をリセットする、請求項１３に記載の端末。
【請求項１５】
前記決定モジュールは、
端末の上位層を指示することと、
無線リンク失敗ＲＬＦと宣言するか又はビーム障害回復ＢＦＲを決定することと、
端末の上層の少なくとも１つの目標リソースでの基準状態が予め設定された条件を満たすことを決定することと、
少なくとも１つの目標リソースでの基準状態が予め設定された条件を満たす場合、対応する前記少なくとも１つの目標リソースで無線リンク失敗ＲＬＦ又はビーム障害回復ＢＦＲをトリガすることと、
少なくとも１つの目標リソースでの基準状態が予め設定された条件を満たす場合、対応する前記少なくとも１つの目標リソースで無線リソース制御ＲＲＣの再確立を開始することと、
報告情報をネットワーク装置に報告することと、のうちの少なくとも１つを実行し、
目標リソースは、基準信号ＲＳ、基準信号ＲＳセット、帯域幅部分ＢＷＰ、セル、キャリア、帯域幅又は帯域幅の組み合わせを含む、請求項１０に記載の端末。
【請求項１６】
前記報告情報は、
前記目標基準状態のプロセスが予め設定された条件を満たすことと、
前記目標基準状態のプロセスが目標リソースで無線リンク失敗ＲＬＦ又はビーム障害回復ＢＦＲをトリガしたことと、
前記目標基準状態のプロセスが目標リソースでＲＲＣの再確立を開始したことと、のうちの少なくとも１つを含む、請求項１５に記載の端末。
【請求項１７】
前記目標基準状態のプロセスは、前記少なくとも１つの基準状態のプロセスのうちの少なくとも１つを含む、請求項１０に記載の端末。
【請求項１８】
前記目標基準状態のプロセスは、
初期帯域幅部分ＢＷＰで実行される基準状態と、
第１のアクティブ化された帯域幅部分ＢＷＰで実行される基準状態と、
サービングセルで実行される基準状態と、
プライマリセルで実行される基準状態と、
セル定義同期信号ブロックが存在する帯域幅部分ＢＷＰ、セル又は基準信号ＲＳで実行される基準状態と、
予め設定された指示情報が存在するセル、帯域幅部分ＢＷＰ又は基準信号ＲＳで実行される基準状態と、のうちの少なくとも１つを含み、
前記予め設定された指示情報が、サービングセル、サービングセルの帯域幅部分ＢＷＰ又はサービングセルの基準信号ＲＳを指示する、請求項１０に記載の端末。
【請求項１９】
メモリと、プロセッサと、メモリに記憶されてプロセッサ上で実行可能なコンピュータプログラムと、を含み、前記コンピュータプログラムが前記プロセッサにより実行されると、請求項１〜９のいずれか１項に記載のモニタリング結果の決定方法のステップを実現する、端末。
【請求項２０】
プロセッサにより実行されると、請求項１〜９のいずれか１項に記載のモニタリング結果の決定方法のステップを実現するコンピュータプログラムが記憶されているコンピュータ可読記憶媒体。
【発明の詳細な説明】
【技術分野】
【０００１】
（関連出願の相互参照）
本願は、２０１８年７月１８日に提出された中国特許出願第２０１８１０７９３１５３．４号の優先権を主張するものであり、その全ての内容は参照により本願に組み込まれるものとする。
本開示は、通信の技術分野に関し、特に、測定結果の決定方法及び端末に関する。
【背景技術】
【０００２】
ロングタームエボリューション（Ｌｏｎｇ  Ｔｅｒｍ  Ｅｖｏｌｕｔｉｏｎ、ＬＴＥ）の無線リンクモニタリング（ｒａｄｉｏ  ｌｉｎｋ  ｍｏｎｉｔｏｒ、ＲＬＭ）機能においてユーザ装置（Ｕｓｅｒ  Ｅｑｕｉｐｍｅｎｔ、ＵＥ）は物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の一部のセル基準信号（Ｃｅｌｌ  Ｒｅｆｅｒｅｎｃｅ  Ｓｉｇｎａｌ、ＣＲＳ）の信号対干渉雑音電力比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）を測定することで無線リンクに対するモニタリングを実現する。測定されたＰＤＣＣＨの一部のＣＲＳが一定の閾値よりも低い場合、該無線リンクが「同期外れ」（Ｏｕｔ−ｏｆ−Ｓｙｎｃ、ＯＯＳ）であると判定される。物理層は上位層（無線リソース制御（Ｒａｄｉｏ  Ｒｅｓｏｕｒｃｅ  Ｃｏｎｔｒｏｌ、ＲＲＣ）層）に１つのｏｕｔ−ｏｆ−ｓｙｎｃ（ＯＯＳ）指示を通知し、ＲＲＣ層がＮ個のｏｕｔ−ｏｆ−ｓｙｎｃ指示を連続的に受信すると、ユーザ装置ＵＥは１つのＴｉｍｅｒ  Ｔ１を起動する。
【０００３】
測定されたＰＤＣＣＨの一部のＣＲＳが一定の閾値よりも高い場合、該無線リンクが「同期」（Ｉｎ−Ｓｙｎｃ、ＩＳ）であると判定される。物理層は上位層（ＲＲＣ層）に１つのｉｎ−ｓｙｎｃ（ＩＳ）指示を通知し、ＲＲＣ層がＭ個のｉｎ−ｓｙｎｃ指示を連続的に受信すると、ユーザ装置ＵＥはＴｉｍｅｒ  Ｔ１の動作を停止する。
【０００４】
ｔｉｍｅｒ  Ｔ１がタイムアウトした場合、ユーザ装置ＵＥは無線リンク失敗（Ｒａｄｉｏ  ｌｉｎｋ  ｆａｉｌｕｒｅ、ＲＬＦ）と判断する。
【０００５】
「ｏｕｔ−ｏｆ−ｓｙｎｃ」及び「ｉｎ−ｓｙｎｃ」をカウントする回数はネットワークにより設定され、つまり、Ｎ又はＭである。また、回数に達した後に、Ｔｉｍｅｒ動作時間の長さもネットワーク側により設定することができる。
【０００６】
第５世代新エアインタフェース（５ｔｈ  Ｇｅｎｅｒａｔｉｏｎ  Ｎｅｗ  Ｒａｄｉｏ、５Ｇ  ＮＲ）システムにおいて、ＲＡＮ１会議のＮＲ討論において、ＮＲにおける無線リンクモニタリングＲＬＭを行う基準信号がＬＴＥにおける基準信号とは異なり、チャネル状態情報の基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）及び／又は同期信号ブロック（Ｓｙｎｃｈｒｏｎｉｓａｔｉｏｎ  Ｓｉｇｎａｌ  Ｂｌｏｃｋ、ＳＳＢ）を無線リンクモニタリングＲＬＭを行う基準信号として使用することが同意された。
【０００７】
ＳＳＢ及びＣＳＩ−ＲＳは、ＮＲの２種類の基準信号である。
【０００８】
ビーム障害検出（Ｂｅａｍ  ｆａｉｌｕｒｅ  ｄｅｔｅｃｔｉｏｎ、ＢＦＤ）の実現手順も無線リンクモニタリングＲＬＭと似ている。
【０００９】
関連技術において、ネットワークは、ユーザのためにサービングセルにおいて無線リンクモニタリング（又はビーム障害検出）のパラメータを設定し、無線リンクモニタリング（又はビーム障害検出）の基準信号がリセットされると、無線リンクモニタリングＲＬＭ（又はビーム障害検出ＢＦＤ）の動作中のカウンタ又はタイマーがリセットされる。
【００１０】
しかしながら、関連技術において、複数の無線リンクモニタリングＲＬＭ（又はビーム障害検出ＢＦＤ）プロセスが同時に実行される場合、無線リンク失敗ＲＬＦ（又はビーム障害回復（Ｂｅａｍ  Ｆａｉｌｕｒｅ  Ｒｅｃｏｖｅｒｙ、ＢＦＲ））をどのように決定するかは決定されていない。
【発明の概要】
【発明が解決しようとする課題】
【００１１】
本開示のいくつかの実施例は、複数の無線リンクモニタリングＲＬＭ（又はビーム障害検出ＢＦＤ）プロセスが同時に実行される場合、無線リンク失敗ＲＬＦ（又はビーム障害回復ＢＦＲ）をどのように決定するかについては関連技術において明確に定義されていないことで、ネットワーク通信の信頼性を保証できないという課題を解決する測定結果の決定方法及び端末を提供する。
【課題を解決するための手段】
【００１２】
上記課題を解決するために、本開示は以下の解決手段を採用する。
【００１３】
第１の態様では、本開示のいくつかの実施例に係る、端末に適用されるモニタリング結果の決定方法は、
少なくとも１つの基準状態のプロセスが実行されている場合、基準状態のモニタリング設定パラメータに基づいて、目標基準状態のプロセスが予め設定された条件を満たすか否かを判断することと、
前記目標基準状態のプロセスが予め設定された条件を満たす場合、前記目標基準状態に対応するモニタリング結果を決定することとを含み、
前記基準状態は、無線リンクモニタリングＲＬＭ及び／又はビーム障害検出ＢＦＤを含む。
【００１４】
第２の態様では、本開示のいくつかの実施例に係る端末は、
少なくとも１つの基準状態のプロセスが実行されている場合、基準状態のモニタリング設定パラメータに基づいて、目標基準状態のプロセスが予め設定された条件を満たすか否かを判断するための判断モジュールと、
前記目標基準状態のプロセスが予め設定された条件を満たす場合、前記目標基準状態に対応するモニタリング結果を決定するための決定モジュールと、を含み、
前記基準状態は、無線リンクモニタリングＲＬＭ及び／又はビーム障害検出ＢＦＤを含む。
【００１５】
第３の態様では、本開示のいくつかの実施例に係る端末は、メモリと、プロセッサと、メモリに記憶され、かつプロセッサ上で実行できるコンピュータプログラムと、を含み、前記コンピュータプログラムが前記プロセッサにより実行されると、上述したモニタリング結果の決定方法のステップを実現する。
【００１６】
第４の態様では、本開示のいくつかの実施例に係るコンピュータ可読記憶媒体は、プロセッサにより実行されると、上述したモニタリング結果の決定方法のステップを実現するコンピュータプログラムが記憶されている。
【発明の効果】
【００１７】
本開示の有益な効果は以下のとおりである。
【００１８】
上記解決手段は、少なくとも１つの基準状態（無線リンクモニタリングＲＬＭ又はビーム障害検出ＢＦＤ）のプロセスが実行されている場合、基準状態のモニタリング設定パラメータに基づいて、目標基準状態のプロセスが予め設定された条件を満たすと判断する場合、前記目標基準状態に対応するモニタリング結果を決定することにより、複数の無線リンクモニタリングＲＬＭ（又はビーム障害検出ＢＦＤ）プロセスが同時に実行される場合、モニタリング結果をどのように決定するかを明確にすることにより、通信の流れを改善し、ネットワーク通信の信頼性を保証できる。
【図面の簡単な説明】
【００１９】
【図１】本開示のいくつかの実施例に係るモニタリング結果の決定方法を示す概略流れ図である。
【図２】本開示のいくつかの実施例に係る端末のモジュールの概略図である。
【図３】本開示のいくつかの実施例に係る端末の構成ブロック図である。
【発明を実施するための形態】
【００２０】
本開示の目的、技術的解決手段及び利点をより明確にするために、以下、図面及び具体的な実施例を参照しながら、本開示を詳細に説明する。
【００２１】
本開示のいくつかの実施例を説明するとき、まず、以下の説明で使用されるいくつかの概念を説明する。
【００２２】
５Ｇ  ＮＲシステムにおいて、１つのセルは、システムとユーザのより大きなスループットをサポートするように、ＬＴＥの最大２０ＭＨｚのシステム帯域幅よりもはるかに大きい最大４００ＭＨｚのシステム帯域幅をサポートする。しかしながら、このような大きなシステム帯域幅をサポートすることは、ユーザ装置ＵＥの実現にとっては大きな課題であり、低コストユーザ装置ＵＥの実現には不利である。したがって、５Ｇ  ＮＲシステムは、動的かつ柔軟な帯域幅割り当てもサポートし、システムの帯域幅を複数の帯域幅部分（ｂａｎｄｗｉｄｔｈ  ｐａｒｔ、ＢＷＰ）に分割することにより、狭帯域端末のユーザ又は省エネルギーモードの端末ユーザのアクセスをサポートする。
【００２３】
５Ｇ  ＮＲシステムは、６ＧＨｚ以上の動作周波数帯域をサポートし、データ伝送に、より大きなスループットを提供することができる。高周波数信号の波長が短く、低周波数帯域に比べて、同じ大きさのパネルにより多くのアンテナアレイエレメントを配置でき、ビームフォーミング技術を利用して指向性がより強く、ビームローブがより狭い複数のビームを形成できる。５Ｇ  ＮＲシステムは、ビームスキャン技術により、セル内の端末ユーザに放送信号又はシステム情報を送信する。
【００２４】
また、ＮＲセルには、異なる帯域幅での異なるニューメロロジー（Ｎｕｍｅｒｏｌｏｇｙ）設定（即ち、パラメータ設定）もサポートし、ユーザ装置ＵＥがセルの全てのニューメロロジー（Ｎｕｍｅｒｏｌｏｇｙ）をサポートできない場合、ユーザ装置ＵＥに対して帯域幅部分ＢＷＰを設定するとき、対応する周波数帯域をユーザ装置ＵＥに設定することを回避できる。
【００２５】
ネットワークは、ＲＲＣシグナリングにより、ユーザ装置ＵＥに対してセル毎に利用可能な帯域幅部分ＢＷＰセットを設定し、Ｌ１シグナリングにより、起動する必要がある帯域幅部分ＢＷＰを動的に切り替えることができ、即ち、帯域幅部分ＢＷＰをアクティブ化すると同時に、現在アクティブ化されている帯域幅部分ＢＷＰを非アクティブ化にする。また、ｂｗｐ−ｉｎａｃｔｉｖｅ  Ｔｉｍｅｒ（アクティブ化タイマー）により帯域幅部分ＢＷＰの切り替えを制御でき、即ち、該タイマーがタイムアウトすると、ユーザ装置ＵＥは、デフォルト（ｄｅｆａｕｌｔ）ダウンリンク（ＤｏｗｎＬｉｎｋ、ＤＬ）ＢＷＰ又は初期（ｉｎｉｔｉａｌ）ＤＬ  ＢＷＰに自律的に切り替えることができる。
【００２６】
本開示は、複数の無線リンクモニタリングＲＬＭ（又はビーム障害検出ＢＦＤ）プロセスが同時に実行される場合、無線リンク失敗ＲＬＦ（又はビーム障害回復ＢＦＲ）をどのように決定するかについては関連技術において明確に定義されていないことで、ネットワーク通信の信頼性を保証できないという課題に対して、測定結果の決定方法及び端末を提供する。
【００２７】
図１に示すように、本開示のいくつかの実施例に係る、端末に適用されるモニタリング結果の決定方法は、
無線リンクモニタリングＲＬＭ及び／又はビーム障害検出ＢＦＤを含む少なくとも１つの基準状態のプロセスが実行されている場合、基準状態のモニタリング設定パラメータに基づいて、目標基準状態のプロセスが予め設定された条件を満たすか否かを判断するステップ１０１と、
前記目標基準状態のプロセスが予め設定された条件を満たす場合、前記目標基準状態に対応するモニタリング結果を決定するステップ１０２とを含む。
【００２８】
なお、具体的に、該目標基準状態のプロセスは、前記少なくとも１つの基準状態のプロセスのうちの少なくとも１つを含み、さらに、該目標基準状態のプロセスは、少なくとも１つの基準状態のプロセスのうちの任意の１つを指すが、少なくとも１つの基準状態のプロセスのうちの予め設定された一部の基準状態のプロセス、又は全部の基準状態のプロセスであってもよく、少なくとも１つの基準状態のプロセスのうちの予め設定されたいずれかの基準状態のプロセスであってもよい。
【００２９】
なお、該目標基準状態のプロセスは、
Ａ１、初期帯域幅部分ＢＷＰで実行される基準状態と、
Ａ２、第１のアクティブ化された帯域幅部分ＢＷＰで実行される基準状態と、
Ａ３、サービングセルで実行される基準状態と、
Ａ４、プライマリセルで実行される基準状態と、
Ａ５、セル定義同期信号ブロックが存在する帯域幅部分ＢＷＰ、セル又は基準信号ＲＳで実行される基準状態と、
Ａ６、予め設定された指示情報が存在するセル、帯域幅部分ＢＷＰ又は基準信号ＲＳで実行される基準状態と、のうちの少なくとも１つを含み、
前記予め設定された指示情報が、サービングセル、サービングセルの帯域幅部分ＢＷＰ又はサービングセルの基準信号ＲＳを指示する。
【００３０】
さらに、目標基準状態のプロセスが、少なくとも１つの基準状態のプロセスのうちの予め設定されたいずれかの基準状態のプロセスである場合、該いずれかの基準状態のプロセスは、上記Ａ１〜Ａ６のいずれであってよい。
【００３１】
さらに、該モニタリング設定パラメータは、ネットワーク装置により端末のために設定され、該モニタリング設定パラメータは、以下の情報Ｂ１〜Ｂ７のうちの少なくとも１つを含む。
【００３２】
Ｂ１、端末に対して設定された１組の基準状態設定パラメータ
この場合、基準状態設定パラメータは、端末毎に設定され、即ち、１つの端末は１組の基準状態設定パラメータを有し、つまり、１つの端末は１組の無線リンクモニタリングＲＬＭパラメータを有するか、又は、１つの端末は１組のビーム障害検出ＢＦＤパラメータを有する。
【００３３】
Ｂ２、端末の少なくとも１つの基準信号ＲＳに対して設定された少なくとも１組の基準状態設定パラメータ
なお、基準信号ＲＳは、ＳＳＢ及び／又はＣＳＩ−ＲＳを含む。
【００３４】
この場合、基準状態設定パラメータは基準信号ＲＳに対して設定され、即ち、端末の基準信号に少なくとも１組の基準状態設定パラメータが設定され、さらに、基準状態設定パラメータの設定は必ずしも基準信号ＲＳと厳密に対応する必要がなく、具体的には、設定状況は、端末の各基準信号ＲＳにそれぞれ１組の基準状態設定パラメータが設定されてもよく、一部の基準信号ＲＳのみに基準状態設定パラメータが設定されてもよい。
【００３５】
Ｂ３、端末の少なくとも１つの基準信号ＲＳセットに対して設定された少なくとも１組の基準状態設定パラメータ
この場合、基準状態設定パラメータは基準信号ＲＳセットに対して設定され、即ち、端末の基準信号ＲＳセットに少なくとも１組の基準状態設定パラメータが設定され、さらに、基準状態設定パラメータは必ずしも基準信号ＲＳセットと厳密に対応する必要がなく、具体的には、設定状況は、端末の各基準信号ＲＳセットにそれぞれ１組の基準状態設定パラメータが設定されてもよく、一部の基準信号ＲＳセットのみに基準状態設定パラメータが設定されてもよい。
【００３６】
Ｂ４、端末の少なくとも１つの帯域幅部分ＢＷＰに対して設定された少なくとも１組の基準状態設定パラメータ
少なくとも１つの帯域幅部分ＢＷＰは、少なくとも１つのアクティブ化された帯域幅部分ＢＷＰ及び／又は少なくとも１つの設定された帯域幅部分ＢＷＰを含む。
【００３７】
この場合、基準状態設定パラメータは帯域幅部分ＢＷＰに対して設定され、即ち、帯域幅部分ＢＷＰ（該帯域幅部分ＢＷＰが端末のアクティブ化された帯域幅部分ＢＷＰであってもよく、端末の設定された帯域幅部分ＢＷＰであってもよい）に少なくとも１組の基準状態設定パラメータが設定され、さらに、基準状態設定パラメータは必ずしも帯域幅部分ＢＷＰと厳密に対応する必要がなく、具体的には、設定状況は、端末の各帯域幅部分ＢＷＰにそれぞれ１組の基準状態設定パラメータが設定されてもよく、一部の帯域幅部分ＢＷＰのみに基準状態設定パラメータが設定されてもよい。
【００３８】
Ｂ５、端末の少なくとも１つのセルに対して設定された少なくとも１組の基準状態設定パラメータ
前記少なくとも１つのセルは、少なくとも１つのサービングセル及び／又は少なくとも１つの設定されたセルを含む。
【００３９】
この場合、基準状態設定パラメータはセルに対して設定され、即ち、セル（該セルは端末のセルであってもよく、端末のサービングセルであってもよく、端末に対して設定されたセルであってもよい）に少なくとも１組の基準状態設定パラメータが設定され、さらに、基準状態設定パラメータは必ずしもセルと厳密に対応する必要がなく、具体的には、設定状況は、端末の各セルにそれぞれ１組の基準状態設定パラメータが設定されてもよく、一部のセルのみに基準状態設定パラメータが設定されてもよい。
【００４０】
Ｂ６、端末の少なくとも１つのキャリアに対して設定された少なくとも１組の基準状態設定パラメータ
この場合、基準状態設定パラメータはキャリアに対して設定され、即ち、端末のキャリアに少なくとも１組の基準状態設定パラメータが設定され、さらに、基準状態設定パラメータは必ずしもキャリアと厳密に対応する必要がなく、具体的には、設定状況は、端末の各キャリアにそれぞれ１組の基準状態設定パラメータが設定されてもよく、一部のキャリアのみに基準状態設定パラメータが設定されてもよい。
【００４１】
Ｂ７、端末の少なくとも１つの帯域幅又は少なくとも１つの帯域幅の組み合わせに対して設定された少なくとも１組の基準状態設定パラメータ
この場合、基準状態設定パラメータは帯域幅（又は帯域幅の組み合わせ）に対して設定され、即ち、端末の全ての帯域幅（又は帯域幅の組み合わせ）に少なくとも１組の基準状態設定パラメータが設定され、さらに、基準状態設定パラメータは必ずしも帯域幅（又は帯域幅の組み合わせ）と厳密に対応する必要がなく、具体的には、設定状況は、端末の各帯域幅（又は帯域幅の組み合わせ）にそれぞれ１組の基準状態設定パラメータが設定されてもよく、一部の帯域幅（又は帯域幅の組み合わせ）のみに基準状態設定パラメータが設定されてもよい。
【００４２】
さらに、上述した１組の基準状態設定パラメータは、
前記基準状態に対するプリセットカウンタと、前記基準状態に対するタイマーのタイマ長というパラメータのうちの少なくとも１つを含む。
具体的には、前記基準状態が無線リンクモニタリングＲＬＭを含む場合、前記プリセットカウンタは、最下層の同期外れ指示をカウントするための同期外れカウンタと、同期指示をカウントするための同期カウンタを含み、前記基準状態がビーム障害検出ＢＦＤを含む場合、前記プリセットカウンタは、最下層により指示されたビーム障害インスタンス（Ｂｅａｍ  Ｆａｉｌｕｒｅ  Ｉｎｓｔａｎｃｅ）をカウントするためのビーム障害インスタンスカウンタを含む。
【００４３】
さらに、基準状態が異なる場合、判断を行うときに使用されている予め設定された条件も異なり、以下、予め設定された条件について説明する。
【００４４】
一、前記基準状態が無線リンクモニタリングＲＬＭを含む場合、前記予め設定された条件は、前記タイマーがタイムアウトすることを含む。
前記プリセットタイマーは、最下層からの第１の予め設定された数の連続的な同期外れ指示を受信するときに起動し、かつ前記タイマーはタイムアウトする前に第２の予め設定された数の連続的な同期指示を受信するときに動作を停止する。
【００４５】
二、前記基準状態がビーム障害検出ＢＦＤを含む場合、前記予め設定された条件は、前記ビーム障害インスタンスカウンタが第３の予め設定された数に達することを含む。
前記ビーム障害インスタンスカウンタが最下層により指示されたビーム障害インスタンスを受信すると、前記ビーム障害インスタンスカウンタのカウント値に１を加え、かつ前記タイマーを起動し、前記タイマーがタイムアウトすると、前記ビーム障害インスタンスカウンタのカウント値をリセットする。
【００４６】
具体的には、ステップ１０２が具体的に実施される場合、以下のＣ１〜Ｃ６のうちの少なくとも１つを含む（つまり、前記目標参照状態に対応するモニタリング結果は、以下のＣ１〜Ｃ６のうちの少なくとも１つを含む）。
【００４７】
Ｃ１、端末の上位層（ｈｉｇｈｅｒ  ｌａｙｅｒ）を指示する。
即ち、端末の最下層（ｂｏｔｔｏｍ  ｌａｙｅｒ）は目標基準状態のプロセスが予め設定された条件を満たすという状況を端末の上位層に報告する。
【００４８】
Ｃ２、無線リンク失敗ＲＬＦと宣言（ｄｅｃｌａｒｅ）するか又はビーム障害回復（ＢＦＲ）を決定する。
前記基準状態が無線リンクモニタリングＲＬＭを含む場合、端末は無線リンク失敗ＲＬＦと宣言することを実行し、前記基準状態がビーム障害検出ＢＦＤを含む場合、端末がビーム障害回復ＢＦＲを決定するか、又は無線リンク失敗ＲＬＦと宣言することを実行する。
【００４９】
Ｃ３、端末の上層（ｕｐｐｅｒ  ｌａｙｅｒ）の少なくとも１つの目標リソースでの基準状態が予め設定された条件を満たすことを決定する。
具体的には、該目標リソースは、基準信号ＲＳ、基準信号ＲＳセット、帯域幅部分ＢＷＰ、セル、キャリア、帯域幅又は帯域幅の組み合わせを含む。
【００５０】
Ｃ４、少なくとも１つの目標リソースでの基準状態が予め設定された条件を満たす場合、対応する前記少なくとも１つの目標リソースで無線リンク失敗ＲＬＦ又はビーム障害回復ＢＦＲをトリガする。
前記基準状態が無線リンクモニタリングＲＬＭを含む場合、無線リンク失敗ＲＬＦをトリガし、前記基準状態がビーム障害検出ＢＦＤを含む場合、無線リンク失敗ＲＬＦ又はビーム障害回復ＢＦＲをトリガする。
【００５１】
Ｃ５、少なくとも１つの目標リソースでの基準状態が予め設定された条件を満たす場合、対応する前記少なくとも１つの目標リソースで無線リソース制御（ＲＲＣ）の再確立を開始する。
【００５２】
Ｃ６、報告情報をネットワーク装置に報告する。
【００５３】
さらに、該報告情報は、以下の情報Ｄ１〜Ｄ３の少なくとも１つを含む。
【００５４】
Ｄ１、前記目標基準状態のプロセスが予め設定された条件を満たす。
この場合、端末は基準信号ＲＳ、基準信号ＲＳセット、帯域幅部分ＢＷＰ、セル、キャリア、帯域幅又は帯域幅の組み合わせでの１つ以上の基準状態のプロセスが予め設定された条件を満たすことを報告する。
【００５５】
Ｄ２、前記目標基準状態のプロセスが目標リソースにある。
前記基準状態が無線リンクモニタリングＲＬＭを含む場合、無線リンク失敗ＲＬＦをトリガし、前記基準状態がビーム障害検出ＢＦＤを含む場合、ビーム障害回復ＢＦＲをトリガする。
【００５６】
この場合、端末は、少なくとも１つの基準信号ＲＳ、基準信号ＲＳセット、帯域幅部分ＢＷＰ、セル、キャリア、帯域幅又は帯域幅の組み合わせで無線リンク失敗ＲＬＦ又はビーム障害回復ＢＦＲをトリガし、該少なくとも１つは、１つの基準信号ＲＳ、基準信号ＲＳセット、帯域幅部分ＢＷＰ、セル、キャリア、帯域幅又は帯域幅の組み合わせ、又は一部の基準信号ＲＳ、基準信号ＲＳセット、帯域幅部分ＢＷＰ、セル、キャリア、帯域幅又は帯域幅の組み合わせ、又は全部の基準信号ＲＳ、基準信号ＲＳセット、帯域幅部分ＢＷＰ、セル、キャリア、帯域幅又は帯域幅の組み合わせを指す。
【００５７】
Ｄ３、前記目標基準状態のプロセスが目標リソースでＲＲＣの再確立を開始した。
この場合、端末は少なくとも１つの基準信号ＲＳ、基準信号ＲＳセット、帯域幅部分ＢＷＰ、セル、キャリア、帯域幅又は帯域幅の組み合わせでＲＲＣの再確立を開始し、該少なくとも１つは、１つの基準信号ＲＳ、基準信号ＲＳセット、帯域幅部分ＢＷＰ、セル、キャリア、帯域幅又は帯域幅の組み合わせ、又は一部の基準信号ＲＳ、基準信号ＲＳセット、帯域幅部分ＢＷＰ、セル、キャリア、帯域幅又は帯域幅の組み合わせ、又は全部の基準信号ＲＳ、基準信号ＲＳセット、帯域幅部分ＢＷＰ、セル、キャリア、帯域幅又は帯域幅の組み合わせを指す。
【００５８】
以下、基準状態が無線リンクモニタリングＲＬＭを含むことを例として、本開示のいくつかの実施例の具体的な実現手順について具体的に以下のように説明する。
【００５９】
１つ以上の無線リンクモニタリングＲＬＭプロセスが同時に実行される場合、端末は以下のＥ１〜Ｅ６の少なくとも１つを実行することができる。
【００６０】
Ｅ１、任意の１つの無線リンクモニタリングＲＬＭプロセスが予め設定された条件を満たす場合、端末の上位層を指示し、
Ｅ２、任意の１つの無線リンクモニタリングＲＬＭプロセスが予め設定された条件を満たす場合、無線リンク失敗ＲＬＦと宣言し、
Ｅ３、任意の１つの無線リンクモニタリングＲＬＭプロセスが予め設定された条件を満たす場合、端末の上層の少なくとも１つの基準信号ＲＳ、基準信号ＲＳセット、帯域幅部分ＢＷＰ、セル、キャリア、帯域幅又は帯域幅の組み合わせでの無線リンクモニタリングＲＬＭが予め設定された条件を満たすと決定し、
Ｅ４、任意の１つの無線リンクモニタリングＲＬＭプロセスが予め設定された条件を満たす場合、該無線リンクモニタリングＲＬＭプロセスに対応する少なくとも１つの基準信号ＲＳ、基準信号ＲＳセット、帯域幅部分ＢＷＰ、セル、キャリア、帯域幅又は帯域幅の組み合わせで無線リンク失敗ＲＬＦをトリガし、
Ｅ５、任意の１つの無線リンクモニタリングＲＬＭプロセスが予め設定された条件を満たす場合、該無線リンクモニタリングＲＬＭプロセスに対応する少なくとも１つの基準信号ＲＳ、基準信号ＲＳセット、帯域幅部分ＢＷＰ、セル、キャリア、帯域幅又は帯域幅の組み合わせでＲＲＣの再確立を開始し、
Ｅ６、任意の１つの無線リンクモニタリングＲＬＭプロセスが予め設定された条件を満たす場合、報告情報をネットワーク装置に報告する。
【００６１】
なお、１つ以上の無線リンクモニタリングＲＬＭプロセスが同時に実行される場合、一部又は全部の無線リンクモニタリングＲＬＭプロセスが予め設定された条件を満たすか、又は予め設定されたいずれかの無線リンクモニタリングＲＬＭプロセスが予め設定された条件を満たす場合、端末の実行プロセスは上記実行プロセスと類似し、ここでは説明を省略する。
【００６２】
基準状態がビーム障害検出ＢＦＤを含む場合、端末の実行プロセスは、無線リンクモニタリングＲＬＭを含む場合の端末の実行プロセスと類似するため、ここでは説明を省略する。
【００６３】
なお、本開示の上記実施例は、５Ｇ又はｅＬＴＥ又は他の類似構成のシーンにも適用可能である。
【００６４】
本開示のいくつかの実施例は、少なくとも１つの基準状態（無線リンクモニタリングＲＬＭ又はビーム障害検出ＢＦＤ）のプロセスが実行されている場合、基準状態のモニタリング設定パラメータに基づいて、目標基準状態のプロセスが予め設定された条件を満たすと判断する場合、前記目標基準状態に対応するモニタリング結果を決定することにより、複数の無線リンクモニタリングＲＬＭ（又はビーム障害検出ＢＦＤ）プロセスが同時に実行される場合、モニタリング結果をどのように決定するかを明確し、通信の流れを改善し、ネットワーク通信の信頼性を保証できる。
【００６５】
図２に示すように、本開示のいくつかの実施例に係る端末２００は、
少なくとも１つの基準状態のプロセスが実行されている場合、基準状態のモニタリング設定パラメータに基づいて、目標基準状態のプロセスが予め設定された条件を満たすか否かを判断するための判断モジュール２０１と、
前記目標基準状態のプロセスが予め設定された条件を満たす場合、前記目標基準状態に対応するモニタリング結果を決定するための決定モジュール２０２と、を含み、
前記基準状態は、無線リンクモニタリングＲＬＭ及び／又はビーム障害検出ＢＦＤを含む。
【００６６】
具体的には、前記モニタリング設定パラメータは、
端末に対して設定された１組の基準状態設定パラメータと、
端末の少なくとも１つの基準信号基準信号ＲＳに対して設定された少なくとも１組の基準状態設定パラメータと、
端末の少なくとも１つの基準信号ＲＳセットに対して設定された少なくとも１組の基準状態設定パラメータと、
端末の少なくとも１つの帯域幅部分ＢＷＰに対して設定された少なくとも１組の基準状態設定パラメータと、
端末の少なくとも１つのセルに対して設定された少なくとも１組の基準状態設定パラメータと、
端末の少なくとも１つのキャリアに対して設定された少なくとも１組の基準状態設定パラメータと、
端末の少なくとも１つの帯域幅又は少なくとも１つの帯域幅の組み合わせに対して設定された少なくとも１組の基準状態設定パラメータと、のうちの少なくとも１つを含む。
【００６７】
さらに、少なくとも１つの帯域幅部分ＢＷＰは、少なくとも１つのアクティブ化された帯域幅部分ＢＷＰ及び／又は少なくとも１つの設定された帯域幅部分ＢＷＰを含み、前記少なくとも１つのセルは、少なくとも１つのサービングセル及び／又は少なくとも１つの設定されたセルを含む。
【００６８】
さらに、１組の基準状態設定パラメータは、
前記基準状態に対するプリセットカウンタと、前記基準状態に対するタイマーのタイマ長というパラメータのうちの少なくとも１つを含む。
前記基準状態が無線リンクモニタリングＲＬＭを含む場合、前記プリセットカウンタは、同期外れカウンタと同期カウンタを含み、前記基準状態がビーム障害検出ＢＦＤを含む場合、前記プリセットカウンタは、ビーム障害インスタンスカウンタを含む。
【００６９】
さらに、前記基準状態が無線リンクモニタリングＲＬＭを含む場合、前記予め設定された条件は、前記タイマーがタイムアウトすることを含む。
前記プリセットタイマーは最下層からの第１の予め設定された数の連続的な同期外れ指示を受信するときに起動し、かつ前記タイマーはタイムアウトする前に第２の予め設定された数の連続的な同期指示を受信するときに動作を停止し、
前記基準状態がビーム障害検出ＢＦＤを含む場合、前記予め設定された条件は、前記ビーム障害インスタンスカウンタが第３の予め設定された数に達することを含み、
前記ビーム障害インスタンスカウンタが最下層により指示されたビーム障害インスタンスを受信すると、前記ビーム障害インスタンスカウンタのカウント値に１を加え、かつ前記タイマーを起動し、前記タイマーがタイムアウトすると、前記ビーム障害インスタンスカウンタのカウント値をリセットする。
【００７０】
好ましくは、前記決定モジュール２０２は、
端末の上位層を指示することと、
無線リンク失敗ＲＬＦと宣言するか又はビーム障害回復（ＢＦＲ）を決定することと、
端末の上層の少なくとも１つの目標リソースでの基準状態が予め設定された条件を満たすことを決定することと、
少なくとも１つの目標リソースでの基準状態が予め設定された条件を満たす場合、対応する前記少なくとも１つの目標リソースで無線リンク失敗ＲＬＦ又はビーム障害回復ＢＦＲをトリガすることと、
少なくとも１つの目標リソースでの基準状態が予め設定された条件を満たす場合、対応する前記少なくとも１つの目標リソースで無線リソース制御ＲＲＣの再確立を開始することと、
報告情報をネットワーク装置に報告することと、のうちの少なくとも１つを実行し、
目標リソースは、基準信号ＲＳ、基準信号ＲＳセット、帯域幅部分ＢＷＰ、セル、キャリア、帯域幅又は帯域幅の組み合わせを含む。
【００７１】
具体的には、前記報告情報は、
前記目標基準状態のプロセスが予め設定された条件を満たすことと、
前記目標基準状態のプロセスが目標リソースで無線リンク失敗ＲＬＦ又はビーム障害回復ＢＦＲをトリガしたことと、
前記目標基準状態のプロセスが目標リソースでＲＲＣの再確立を開始したことと、のうちの少なくとも１つを含む。
【００７２】
好ましくは、前記目標参照状態のプロセスは、前記少なくとも１つの基準状態のプロセスのうちの少なくとも１つを含む。
【００７３】
なお、前記目標基準状態のプロセスは、
初期帯域幅部分ＢＷＰで実行される基準状態と、
第１のアクティブ化された帯域幅部分ＢＷＰで実行される基準状態と、
サービングセルで実行される基準状態と、
プライマリセルで実行される基準状態と、
セル定義同期信号ブロックが存在する帯域幅部分ＢＷＰ、セル又は基準信号ＲＳで実行される基準状態と、
予め設定された指示情報が存在するセル、帯域幅部分ＢＷＰ又は基準信号ＲＳで実行される基準状態と、のうちの少なくとも１つを含み、
前記予め設定された指示情報が、サービングセル、サービングセルの帯域幅部分ＢＷＰ又はサービングセルの基準信号ＲＳを指示する。
【００７４】
なお、該端末実施例は、上記端末側に適用されるモニタリング結果の決定方法に対応する端末であり、上記実施例の全ての実現方法は、いずれも該端末実施例に適用可能であり、それと同様の技術的効果を達成することができる。
【００７５】
図３は本開示のいくつかの実施例を実現する端末のハードウェア概略構成図である。
【００７６】
該端末３０は、無線周波数ユニット３１０、ネットワークモジュール３２０、オーディオ出力ユニット３３０、入力ユニット３４０、センサ３５０、表示ユニット３６０、ユーザ入力ユニット３７０、インタフェースユニット３８０、メモリ３９０、プロセッサ３１１及び電源３１２などの部品を含むが、これらに限定されない。当業者が理解できるように、図３に示す端末構成は、端末を限定するものではなく、端末は、図示より多い又は少ない部品を含んでもよく、ある部品を組み合わせたり、異なる部品配置を有したりしてもよい。本開示のいくつかの実施例では、端末は、携帯電話、タブレットコンピュータ、ノートブックコンピュータ、ハンドトップコンピュータ、車載端末、ウェアラブルデバイス及び歩数計などを含むが、これらに限定されない。
【００７７】
プロセッサ３１１は、少なくとも１つの基準状態のプロセスが実行されている場合、基準状態のモニタリング設定パラメータに基づいて、目標基準状態のプロセスが予め設定された条件を満たすか否かを判断し、前記目標基準状態のプロセスが予め設定された条件を満たす場合、前記目標基準状態に対応するモニタリング結果を決定する。
前記基準状態は、無線リンクモニタリングＲＬＭ及び／又はビーム障害検出ＢＦＤを含む。
【００７８】
本開示のいくつかの実施例の端末は、少なくとも１つの基準状態（無線リンクモニタリングＲＬＭ又はビーム障害検出ＢＦＤ）のプロセスが実行されている場合、基準状態のモニタリング設定パラメータに基づいて、目標基準状態のプロセスが予め設定された条件を満たすと判断する場合、前記目標基準状態に対応するモニタリング結果を決定することにより、複数の無線リンクモニタリングＲＬＭ（又はビーム障害検出ＢＦＤ）プロセスが同時に実行される場合、モニタリング結果をどのように決定するかを明確にすることにより、通信の流れを改善し、ネットワーク通信の信頼性を保証できる。
【００７９】
なお、本開示のいくつかの実施例では、無線周波数ユニット３１０は、情報の送受信、又は通話中の信号の送受信に用いられてよく、具体的には、ネットワーク装置からのダウンリンクデータを受信した後、プロセッサ３１１に処理させ、さらに、アップリンクデータをネットワーク装置に送信する。一般に、無線周波数ユニット３１０は、アンテナ、少なくとも１つの増幅器、トランシーバ、カプラ、低雑音増幅器、デュプレクサなどを含むが、これらに限定されない。また、無線周波数ユニット３１０は、さらに、無線通信システムによりネットワーク及び他の装置と通信することができる。
【００８０】
端末は、ネットワークモジュール３２０により、ユーザーが電子メールを送受信したり、ウェブページを閲覧したり、ストリーミングメディアにアクセスしたりすることを支援するなど、ユーザに無線のブロードバンドインターネットアクセスを提供する。
【００８１】
オーディオ出力ユニット３３０は、無線周波数ユニット３１０又はネットワークモジュール３２０によって受信されるか又はメモリ３９０に記憶されているオーディオデータをオーディオ信号に変換して音声として出力することができる。また、オーディオ出力ユニット３３０は、さらに、端末３０が実行する特定の機能に関するオーディオ出力（例えば、呼出音、メッセージ着信音など）を提供することができる。オーディオ出力ユニット３３０は、スピーカー、ブザー及びレシーバーなどを含む。
【００８２】
入力ユニット３４０は、オーディオ又はビデオ信号を受信する。入力ユニット３４０は、グラフィック処理ユニット（Ｇｒａｐｈｉｃｓ  Ｐｒｏｃｅｓｓｉｎｇ  Ｕｎｉｔ、ＧＰＵ）３４１及びマイクロフォン３４２を含んでよい。グラフィック処理ユニット３４１は、動画撮影モード又は撮影モードで撮影装置（例えば、カメラ）によって取得された静止画像又はビデオの画像データを処理する。処理後の画像フレームは、表示ユニット３６０に表示することができる。グラフィック処理ユニット３４１によって処理された画像フレームは、メモリ３９０（又は他の記憶媒体）に記憶されてもよく、無線周波数ユニット３１０又はネットワークモジュール３２０によって送信されてもよい。マイクロフォン３４２は、音声を受信し、かつこのような音声をオーディオデータに処理することができる。処理後のオーディオデータは、電話通話モードの場合に、無線周波数ユニット３１０により移動通信ネットワーク装置に送信できるフォーマットに変換して出力することができる。
【００８３】
端末３０は、光センサ、動きセンサ及び他のセンサなどの少なくとも１種のセンサ３５０をさらに含む。具体的には、光センサは、環境光線の明るさに応じて表示パネル３６１の輝度を調節することができる環境光センサと、端末３０が耳元に移動するときに、表示パネル３６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）などに用いられてよく、センサ１０５は、指紋センサ、圧力センサ、虹彩センサ、分子センサ、ジャイロスコープ、気圧計、湿度計、温度計、赤外線センサなどを含むことができ、ここでは説明を省略する。
【００８４】
表示ユニット３６０は、ユーザにより入力された情報又はユーザに提供する情報を表示する。表示ユニット３６０は、表示パネル３６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル３６１を構成することができる。
【００８５】
ユーザ入力ユニット３７０は、入力された数字又は文字情報を受信したり、端末のユーザ設定及び機能制御に関連するキー信号の入力を生成したりすることができる。具体的には、ユーザ入力ユニット３７０は、タッチパネル３７１及び他の入力装置３７２を含む。タッチパネル３７１は、タッチスクリーンとも呼ばれ、タッチパネル又はその近くでのユーザのタッチ操作（例えば、指、スタイラスペンなどの任意の適切な物体又は付属品を用いたタッチパネル３７１で又はタッチパネル３７１の近くでのユーザの操作）を収集することができる。タッチパネル３７１は、タッチ検出装置及びタッチコントローラの２つの部品を含んでよい。タッチ検出装置は、ユーザのタッチ方向を検出し、かつタッチ操作による信号を検出し、信号をタッチコントローラに伝送し、タッチコントローラは、タッチ検出装置からタッチ情報を受信し、タッチポイント座標に変換して、プロセッサ３１１に送信し、プロセッサ３１１から送信されたコマンドを受信し、実行する。また、抵抗式、容量式、赤外線式及び表面弾性波式などの複数のタイプでタッチパネル３７１を実現することができる。タッチパネル３７１に加えて、ユーザ入力ユニット３７０は、他の入力装置３７２をさらに含んでよい。具体的には、他の入力装置３７２は、物理キーボード、機能キー（例えば、ボリューム調節キー、スイッチキーなど）、トラックボール、マウス及び操作レバーを含み得るがこれらに限定されず、ここでは説明を省略する。
【００８６】
さらに、タッチパネル３７１は、表示パネル３６１をカバーすることができ、タッチパネル３７１がその上又はその近くでのタッチ操作を検出した後、プロセッサ３１１に伝送してタッチイベントのタイプを決定し、その後に、プロセッサ３１１は、タッチイベントのタイプに応じて対応する視覚的出力を表示パネル３６１に提供する。図３において、タッチパネル３７１と表示パネル３６１は２つの独立した部品として端末の入力と出力機能を実現するが、いくつかの実施例では、タッチパネル３７１と表示パネル３６１を一体化して端末の入力と出力機能を実現することができ、ここで限定しない。
【００８７】
インタフェースユニット３８０は、外部装置と端末３０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット３８０は、外部装置からの入力（例えば、データ情報、電力など）を受信すると共に、受信した入力を端末３０内の１つ以上の素子に伝送するか又は端末３０と外部装置との間にデータを伝送することができる。
【００８８】
メモリ３９０は、ソフトウェアプログラム及び様々なデータを記憶することができる。メモリ３９０は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ３９０は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００８９】
プロセッサ３１１は、端末の制御センターであり、様々なインタフェースと回線により端末全体の各部分に接続され、メモリ３９０に記憶されているソフトウェアプログラム及び／又はモジュールを動作させるか又は実行し、メモリ３９０に記憶されているデータを呼び出すことにより、端末の様々な機能とデータ処理を実行して、端末全体を監視する。プロセッサ３１１は、１つ以上の処理ユニットを含むことができ、好ましくは、プロセッサ３１１は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ３１１に集積されなくてもよいことを理解されたい。
【００９０】
端末３０は、各部品に給電する電源３１２（例えば、電池）を含んでよく、好ましくは、電源３１２は、電源管理システムによりプロセッサ３１１と論理的に接続されて、電源管理システムにより充電、放電の管理及び消費電力の管理などの機能を実現することができる。
【００９１】
また、端末３０は、いくつかの未図示の機能モジュールを含み、ここで説明を省略する。
【００９２】
好ましくは、本開示の実施例は、プロセッサ３１１と、メモリ３９０と、メモリ３９０に記憶されて上記プロセッサ３１１上で実行可能で、プロセッサ３１１によって実行されると、端末側に適用されるモニタリング結果の決定方法の実施例の各プロセスを実現し、かつ同じ技術的効果を達成できるコンピュータプログラムとを含む、端末をさらに提供し、重複を避けるために、ここでは説明を省略する。
【００９３】
本開示のいくつかの実施例は、プロセッサによって実行されると、端末側に適用されるモニタリング結果の決定方法の実施例の各プロセスを実現し、かつ同じ技術的効果を達成できるコンピュータプログラムが記憶されているコンピュータ可読記憶媒体をさらに提供し、重複を避けるため、ここで説明を省略する。上記コンピュータ可読記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、ディスク又は光ディスクなどであってよい。
【００９４】
以上の説明は、本開示の好ましい実施形態であり、なお、当業者であれば、本開示の上記原理から逸脱しない前提でいくつかの改良と修飾を行ってもよく、これらの改良と修飾も本開示の保護範囲に含まれる。
【図１】
2021530178.tif 000003
【図２】
2021530178.tif 000004
【図３】
2021530178.tif 000005
【手続補正書】
【提出日】令和3年2月25日(2021.2.25)
【手続補正１】
【補正対象書類名】明細書
【補正対象項目名】００５５
【補正方法】変更
【補正の内容】
【００５５】
Ｄ２、前記目標基準状態のプロセスが目標リソースで無線リンク失敗ＲＬＦ又はビーム障害回復ＢＦＲをトリガした。
前記基準状態が無線リンクモニタリングＲＬＭを含む場合、無線リンク失敗ＲＬＦをトリガし、前記基準状態がビーム障害検出ＢＦＤを含む場合、ビーム障害回復ＢＦＲをトリガする。
【手続補正２】
【補正対象書類名】特許請求の範囲
【補正対象項目名】全文
【補正方法】変更
【補正の内容】
【特許請求の範囲】
【請求項１】
端末に適用されるモニタリング結果の決定方法であって、
少なくとも１つの基準状態のプロセスが実行されている場合、基準状態のモニタリング設定パラメータに基づいて、目標基準状態のプロセスが予め設定された条件を満たすか否かを判定することと、
前記目標基準状態のプロセスが予め設定された条件を満たす場合、前記目標基準状態に対応するモニタリング結果を決定することとを含み、
前記基準状態が、無線リンクモニタリングＲＬＭ及び／又はビーム障害検出ＢＦＤを含む、モニタリング結果の決定方法。
【請求項２】
前記モニタリング設定パラメータは、
端末に対して設定された１組の基準状態設定パラメータと、
端末の少なくとも１つの基準信号ＲＳに対して設定された少なくとも１組の基準状態設定パラメータと、
端末の少なくとも１つの基準信号ＲＳセットに対して設定された少なくとも１組の基準状態設定パラメータと、
端末の少なくとも１つの帯域幅部分ＢＷＰに対して設定された少なくとも１組の基準状態設定パラメータと、
端末の少なくとも１つのセルに対して設定された少なくとも１組の基準状態設定パラメータと、
端末の少なくとも１つのキャリアに対して設定された少なくとも１組の基準状態設定パラメータと、
端末の少なくとも１つの帯域幅又は少なくとも１つの帯域幅の組み合わせに対して設定された少なくとも１組の基準状態設定パラメータと、のうちの少なくとも１つを含む、請求項１に記載のモニタリング結果の決定方法。
【請求項３】
少なくとも１つの帯域幅部分ＢＷＰは、少なくとも１つのアクティブ化された帯域幅部分ＢＷＰ及び／又は少なくとも１つの設定された帯域幅部分ＢＷＰを含み、前記少なくとも１つのセルは、少なくとも１つのサービングセル及び／又は少なくとも１つの設定されたセルを含む、請求項２に記載のモニタリング結果の決定方法。
【請求項４】
１組の基準状態設定パラメータは、
前記基準状態に対するプリセットカウンタと、前記基準状態に対するタイマーのタイマ長というパラメータのうちの少なくとも１つを含み、
前記基準状態が無線リンクモニタリングＲＬＭを含む場合、前記プリセットカウンタは、同期外れカウンタと同期カウンタを含み、前記基準状態がビーム障害検出ＢＦＤを含む場合、前記プリセットカウンタは、ビーム障害インスタンスカウンタを含む、請求項２に記載のモニタリング結果の決定方法。
【請求項５】
前記基準状態が無線リンクモニタリングＲＬＭを含む場合、前記予め設定された条件は、前記タイマーがタイムアウトすることを含み、
前記プリセットタイマーは最下層からの第１の予め設定された数の連続的な同期外れ指示を受信するときに起動し、かつ前記タイマーはタイムアウトする前に第２の予め設定された数の連続的な同期指示を受信するときに動作を停止し、
前記基準状態がビーム障害検出ＢＦＤを含む場合、前記予め設定された条件は、前記ビーム障害インスタンスカウンタが第３の予め設定された数に達することを含み、
前記ビーム障害インスタンスカウンタが最下層により指示されたビーム障害インスタンスを受信すると、前記ビーム障害インスタンスカウンタのカウント値に１を加え、かつ前記タイマーを起動し、前記タイマーがタイムアウトすると、前記ビーム障害インスタンスカウンタのカウント値をリセットする、請求項４に記載のモニタリング結果の決定方法。
【請求項６】
前記目標基準状態に対応するモニタリング結果を決定することは、
端末の上位層を指示することと、
無線リンク失敗ＲＬＦと宣言するか又はビーム障害回復ＢＦＲを決定することと、
端末の上層の少なくとも１つの目標リソースでの基準状態が予め設定された条件を満たすことを決定することと、
少なくとも１つの目標リソースでの基準状態が予め設定された条件を満たす場合、対応する前記少なくとも１つの目標リソースで無線リンク失敗ＲＬＦ又はビーム障害回復ＢＦＲをトリガすることと、
少なくとも１つの目標リソースでの基準状態が予め設定された条件を満たす場合、対応する前記少なくとも１つの目標リソースで無線リソース制御ＲＲＣの再確立を開始することと、
報告情報をネットワーク装置に報告することと、のうちの少なくとも１つを含み、
目標リソースは、基準信号ＲＳ、基準信号ＲＳセット、帯域幅部分ＢＷＰ、セル、キャリア、帯域幅又は帯域幅の組み合わせを含む、請求項１に記載のモニタリング結果の決定方法。
【請求項７】
前記報告情報は、
前記目標基準状態のプロセスが予め設定された条件を満たすことと、
前記目標基準状態のプロセスが目標リソースで無線リンク失敗ＲＬＦ又はビーム障害回復ＢＦＲをトリガしたことと、
前記目標基準状態のプロセスが目標リソースでＲＲＣの再確立を開始したことと、のうちの少なくとも１つを含む、請求項６に記載のモニタリング結果の決定方法。
【請求項８】
前記目標基準状態のプロセスは、前記少なくとも１つの基準状態のプロセスのうちの少なくとも１つを含む、請求項１に記載のモニタリング結果の決定方法。
【請求項９】
前記目標基準状態のプロセスは、
初期帯域幅部分ＢＷＰで実行される基準状態と、
第１のアクティブ化された帯域幅部分ＢＷＰで実行される基準状態と、
サービングセルで実行される基準状態と、
プライマリセルで実行される基準状態と、
セル定義同期信号ブロックが存在する帯域幅部分ＢＷＰ、セル又は基準信号ＲＳで実行される基準状態と、
予め設定された指示情報が存在するセル、帯域幅部分ＢＷＰ又は基準信号ＲＳで実行される基準状態と、のうちの少なくとも１つを含み、
前記予め設定された指示情報が、サービングセル、サービングセルの帯域幅部分ＢＷＰ又はサービングセルの基準信号ＲＳを指示する、請求項１に記載のモニタリング結果の決定方法。
【請求項１０】
少なくとも１つの基準状態のプロセスが実行されている場合、基準状態のモニタリング設定パラメータに基づいて、目標基準状態のプロセスが予め設定された条件を満たすか否かを判断するための判断モジュールと、
前記目標基準状態のプロセスが予め設定された条件を満たす場合、前記目標基準状態に対応するモニタリング結果を決定するための決定モジュールと、を含み、
前記基準状態が、無線リンクモニタリングＲＬＭ及び／又はビーム障害検出ＢＦＤを含む、端末。
【請求項１１】
前記モニタリング設定パラメータは、
端末に対して設定された１組の基準状態設定パラメータと、
端末の少なくとも１つの基準信号ＲＳに対して設定された少なくとも１組の基準状態設定パラメータと、
端末の少なくとも１つの基準信号ＲＳセットに対して設定された少なくとも１組の基準状態設定パラメータと、
端末の少なくとも１つの帯域幅部分ＢＷＰに対して設定された少なくとも１組の基準状態設定パラメータと、
端末の少なくとも１つのセルに対して設定された少なくとも１組の基準状態設定パラメータと、
端末の少なくとも１つのキャリアに対して設定された少なくとも１組の基準状態設定パラメータと、
端末の少なくとも１つの帯域幅又は少なくとも１つの帯域幅の組み合わせに対して設定された少なくとも１組の基準状態設定パラメータと、のうちの少なくとも１つを含む、請求項１０に記載の端末。
【請求項１２】
１組の基準状態設定パラメータは、
前記基準状態に対するプリセットカウンタと、前記基準状態に対するタイマーのタイマ長というパラメータのうちの少なくとも１つを含み、
前記基準状態が無線リンクモニタリングＲＬＭを含む場合、前記プリセットカウンタは、同期外れカウンタと同期カウンタを含み、前記基準状態がビーム障害検出ＢＦＤを含む場合、前記プリセットカウンタは、ビーム障害インスタンスカウンタを含む、請求項１１に記載の端末。
【請求項１３】
前記基準状態が無線リンクモニタリングＲＬＭを含む場合、前記予め設定された条件は、前記タイマーがタイムアウトすることを含み、
前記プリセットタイマーは最下層からの第１の予め設定された数の連続的な同期外れ指示を受信するときに起動し、かつ前記タイマーはタイムアウトする前に第２の予め設定された数の連続的な同期指示を受信するときに動作を停止し、
前記基準状態がビーム障害検出ＢＦＤを含む場合、前記予め設定された条件は、前記ビーム障害インスタンスカウンタが第３の予め設定された数に達することを含み、
前記ビーム障害インスタンスカウンタが最下層により指示されたビーム障害インスタンスを受信すると、前記ビーム障害インスタンスカウンタのカウント値に１を加え、かつ前記タイマーを起動し、前記タイマーがタイムアウトすると、前記ビーム障害インスタンスカウンタのカウント値をリセットする、請求項１２に記載の端末。
【請求項１４】
前記決定モジュールは、
端末の上位層を指示することと、
無線リンク失敗ＲＬＦと宣言するか又はビーム障害回復ＢＦＲを決定することと、
端末の上層の少なくとも１つの目標リソースでの基準状態が予め設定された条件を満たすことを決定することと、
少なくとも１つの目標リソースでの基準状態が予め設定された条件を満たす場合、対応する前記少なくとも１つの目標リソースで無線リンク失敗ＲＬＦ又はビーム障害回復ＢＦＲをトリガすることと、
少なくとも１つの目標リソースでの基準状態が予め設定された条件を満たす場合、対応する前記少なくとも１つの目標リソースで無線リソース制御ＲＲＣの再確立を開始することと、
報告情報をネットワーク装置に報告することと、のうちの少なくとも１つを実行し、
目標リソースは、基準信号ＲＳ、基準信号ＲＳセット、帯域幅部分ＢＷＰ、セル、キャリア、帯域幅又は帯域幅の組み合わせを含む、請求項１０に記載の端末。
【請求項１５】
前記報告情報は、
前記目標基準状態のプロセスが予め設定された条件を満たすことと、
前記目標基準状態のプロセスが目標リソースで無線リンク失敗ＲＬＦ又はビーム障害回復ＢＦＲをトリガしたことと、
前記目標基準状態のプロセスが目標リソースでＲＲＣの再確立を開始したことと、のうちの少なくとも１つを含む、請求項１４に記載の端末。
【国際調査報告】
2021530178.tif 000006
2021530178.tif 000007
2021530178.tif 000008
2021530178.tif 000009